(57)【要約】本発明は、着用者の腰部を締め付ける腰部保護ベルトを装着して用いるのに好適な作業用ズボン等の下衣に一体に腰部保護ベルトを付設できる、腰周部分の背面部かつ下衣の内側に筒状部を有する下衣であって、着用者が前記筒状部に腰部保護ベルトを装着完了するのに時間がかからない下衣を提供することを課題とする。その課題を解決する手段は、腰周部分を有する下衣であって、前記腰周部分の背面部分かつ下衣の内側には、下衣身生地とその生地とは異なる面状物とから構成される、または下衣身生地とは異なる面状物から構成される筒状部を有しており、  前記筒状部は、その軸方向が前記腰周部分の腰周方向と略平行になるように配置されており、前記筒状部の前方部分の略中央部に１つのスリットを有しており、前記スリットは長手方向が着用者の身長方向と略平行になるように設置されており、前記筒状部の幅（Ｗ１）と、前記スリットの長手方向の幅（Ｗ２）との比（Ｗ２／Ｗ１）が０．７０〜１．００である下衣。【選択図】図６
2020066740.tif 000002
【特許請求の範囲】
【請求項１】
腰周部分を有する下衣であって、前記腰周部分の背面部分かつ下衣の内側には、下衣身生地とその生地とは異なる面状物とから構成される、または下衣身生地とは異なる面状物から構成される筒状部を有しており、
前記筒状部は、その軸方向が前記腰周部分の腰周方向と略平行になるように配置されており、前記筒状部は、以下の（１）および（２）の条件を満たすスリットを１つのみ備えており、前記スリットは、前記筒状部の前方部分かつ前記筒状部の長手方向の略中央部分に設けられている、下衣。
（１）前記スリットは、前記スリットの長手方向が前記腰周方向と略直交するように設けられている
（２）前記腰周方向と直交する方向における前記筒状部の幅（Ｗ１）と、前記スリットの長手方向の幅（Ｗ２）との比（Ｗ２／Ｗ１）が０．７０〜１．００である。
【請求項２】
前記筒状部の後方部分の内面の静摩擦係数が０．２〜１．０であり、前記筒状部の前方部分の、筒状部の幅方向の１０％伸長時の応力が１０Ｎ／２５ｍｍ以下である請求項１に記載の下衣。
【請求項３】
前記筒状部の前方部分の人体から遠い部分の面の静摩擦係数が０．２〜１．０である請求項１または２に記載の下衣。
【請求項４】
前記筒状部の前方部分の人体に近い部分の面の静摩擦係数が０．２〜１．０である請求項１〜３のいずれかに記載の下衣。
【請求項５】
前記筒状部が、下衣身生地とその生地とは異なる面状物とから構成されるものであって、前記面状物の上方部および下方部は、それぞれ下衣身生地と連続または断続的に連結されている、請求項１〜４のいずれかに記載の下衣。
【請求項６】
前記筒状部が、下衣身生地とは異なる面状物とから構成されるものであって、前記筒状部の上方部および下方部は、それぞれ下衣身生地と連続または断続的に連結されている、請求項１〜４のいずれかに記載の下衣。
【請求項７】
前記面状物が布帛である請求項１〜６のいずれかに記載の下衣。
【請求項８】
請求項１〜７のいずれかに記載の下衣と、腰部保護ベルトと、を有するベルト付き下衣。
【発明の詳細な説明】
【技術分野】
【０００１】
本発明は、下衣（Ｂｏｔｔｏｍ  ｗｅａｒ）に関する。
【背景技術】
【０００２】
職業性疾病のうち、腰痛は労働者が仕事の中でかかりやすい病気のひとつであり、さまざまな職種に広がり発生している。腰痛発生のリスクが高い職業従事者として、重量物運搬や長距離ドライブに従事する運送業事業者、入院患者の介助や救急患者の対応が必要な医療従事者が挙げられるが、最近では、高齢者介護などの社会福祉施設での業務の従事者の腰痛発生件数が大幅に増加している。【０００３】
こうした腰痛は職業従事者の年齢が上がるにつれ増加する傾向にあるが、特に初期のうちに対策をとる人は少なく、腰痛の症状が進むまで何もしないという人が少なくない。また、先進国を中心に少子高齢化が進み、生産年齢人口の減少という問題に直面している。また、社会を支えるという側面では、６５歳以上の働くシニアや働く女性が増加している。こうした中、貴重な労働者の健康の維持および健康の増進は、これまで以上に重要性を増している。職業衣においても、従来から安全性、動き易さ、識別性という機能に加え、労働者の健康をより積極的に保つという視点が重要となっている。【０００４】
従来、腰痛予防には着用者の腰の周り、特に着用者の骨盤上部を含む位置で、腰部保護帯を締め付け、そして腹圧を上げるのが有効とされてきた。これは腹腔がラグビーボールのように柱となって腰の負担を軽減するためである。しかし、こうした腰部保護帯は、衣服の下に着用するものが大多数であり、衣服を脱いでから体につけなくてはならないので面倒であり、また、腰部保護帯を体に付けた後で腰部の締め具合を調整するときにも、衣服を脱ぐか緩めるかしてから締め具合を調整しなくてはならないため、この作業が面倒であるという課題があった。【０００５】
そこで、作業用ズボン等の下衣に一体に腰部保護ベルトを付設できる、腰周部分の背面部かつ下衣の内側に筒状部を有する下衣が知られている（特許文献１参照）。この下衣では、腰部保護ベルトにより腰部を締め付けられた着用者が直立姿勢からしゃがみ姿勢またはしゃがみ姿勢から直立姿勢へと変化させる伸縮動作を複数回繰返し行った場合でも、腰部保護ベルトの着用者の腰部に対する着用者の身長方向のスライドに伴って着用者の着用する下着が着用者の腰部に対し着用者の身長方向にスライドすることを抑制することができる構成となっており、着用者の上記のような姿勢の繰返しの変化に伴い、着用者が不快に感じるとの課題を解決するものである。
【先行技術文献】
【特許文献】
【０００６】
【特許文献１】ＷＯ２０１８／０６６５０４号公報
【発明の概要】
【発明が解決しようとする課題】
【０００７】
しかしながら、発明者らの知見によると、特許文献１に開示された一体に腰部保護具を付設できる下衣では、筒状部に腰部保護ベルト（以下、単に「ベルト」と称することがある）を装着する際は、筒状部の両端のうちの一方の端部に配置された開口から腰部保護ベルトを挿入する構造となっており、この腰部保護ベルト挿入作業は、途中で腰部保護ベルトの端部などが筒状部の内側の側面に引っかかったりすることで、腰部保護ベルトが筒状部の内側で詰まったりするトラブルが発生し、時間と労力を要する作業となる傾向があるとの課題がある。さらに、前述した腰痛発生のリスクが高い職業従事者である運送業従事者、医療従事者、高齢者介護などの社会福祉施設での業務の従事者は、この腰部保護ベルト挿入作業を限られた更衣スペースで行うことが多い。また、複数人が同時に更衣することが多いため一人分の十分なスペースを確保しにくい中、他の人の更衣スペースを作るために素早く更衣を済ませるように努めている。そのため、筒状部の両端のうちの一方の端部に配置された開口からベルトを挿入する方法（すなわち、ベルトの一方の端部を筒状部の一方の開口から挿入し筒状部の他方の開口へ向けて挿通させてベルトを装着する方法）では、ベルトが筒状部の途中で詰まってしまったり、ベルトが筒状部の内部で折れてしまったりする可能性がある。そして、その場合には、作業者は、筒状部の他方の開口から筒状部の内側に手を入れてベルトを引っ張り出すことなどが必要となる。しかしながら、このように筒状部の他方の開口から手を入れてベルトを引っ張り出す場合にも、筒状部の一方の開口から他方の開口といったように、ベルトを挿通させる距離（以下、「ベルトの挿通距離」と称することがある）が長いとベルトが詰まっているところまで手を入れるのも困難である。上記のような不都合が生じるため、筒状部の両端のうちの一方の端部に配置された開口からベルトを挿入する方法を採用せざるを得ない特許文献１に開示された下衣では、着用者が腰部保護ベルトを前記筒状部へ装着を完了するのに時間がかかる、という課題がある。
【課題を解決するための手段】
【０００８】
上記課題を解決するために、本発明は以下の構成およびさらに好ましい態様を開示する。
１．腰周部分を有する下衣であって、前記腰周部分の背面部分かつ下衣の内側には、下衣身生地とその生地とは異なる面状物とから構成される、または下衣身生地とは異なる面状物から構成される筒状部を有しており、
前記筒状部は、その軸方向が前記腰周部分の腰周方向と略平行になるように配置されており、前記筒状部は、以下の（１）および（２）の条件を満たすスリットを１つのみ備えており、前記スリットは、前記筒状部の前方部分かつ前記筒状部の長手方向の略中央部分に設けられている、下衣、
（１）前記スリットは、前記スリットの長手方向が前記腰周方向と略直交するように設けられている
（２）前記腰周方向と直交する方向における前記筒状部の幅（Ｗ１）と、前記スリットの長手方向の幅（Ｗ２）との比（Ｗ２／Ｗ１）が０．７０〜１．００である、
２．前記筒状部の後方部分の内面の静摩擦係数が０．２〜１．０であり、前記筒状部の前方部分の、筒状部の幅方向の１０％伸長時の応力が１０Ｎ／２５ｍｍ以下である前記下衣、
３．前記筒状部の前方部分の人体から遠い部分の面の静摩擦係数が０．２〜１．０である前記いずれかの下衣、
４．前記筒状部の前方部分の人体に近い部分の面の静摩擦係数が０．２〜１．０である前記いずれかの下衣、
５．前記筒状部が、下衣身生地とその生地とは異なる面状物とから構成されるものであって、前記面状物の上方部および下方部は、それぞれ下衣身生地と連続または断続的に連結されている、前記１〜４いずれかの下衣、
６．前記筒状部が、下衣身生地とは異なる面状物とから構成されるものであって、前記筒状部の上方部および下方部は、それぞれ下衣身生地と連続または断続的に連結されている、前記１〜４いずれかの下衣、
７．前記面状物が布帛である前記いずれかの下衣、および、
８．前記いずれかに記載の下衣と、腰部保護ベルトと、を有するベルト付き下衣である。
【発明の効果】
【０００９】
着用者の腰部を締め付ける腰部保護ベルトを装着して用いるのに好適な作業用ズボン等の下衣に一体に腰部保護ベルトを付設できる、腰周部分の背面部かつ下衣の内側に筒状部を有する下衣であって、着用者が前記筒状部への腰部保護ベルトの装着作業を迅速に完了させることが可能な下衣を提供することができる。
【図面の簡単な説明】
【００１０】
【図１】本発明の第１の実施態様の下衣の正面かつ上の方から見た図である。
【図２】図１に示す下衣の右側面図である。
【図３】図１に示す下衣のＡ−Ａ’断面図である。
【図４】本発明の下衣に装着し得る腰部保護ベルトの一例の正面図である。
【図５】本発明の下衣に装着し得る腰部保護ベルトの一例の背面図である。
【図６】腰部保護ベルトを装着した図１に示す下衣の正面かつ上の方から見た図である。
【図７】腰部保護ベルトを装着した図６に示す下衣のＢ−Ｂ’断面図である。
【図８】本発明の第２の実施態様の下衣の正面かつ上の方から見た図である。
【図９】図８に示す下衣のＣ−Ｃ’断面図である。
【図１０】腰部保護ベルトを装着した図８に示す下衣の正面かつ上の方から見た図である。
【図１１】腰部保護ベルトを装着した図１０に示す下衣のＤ−Ｄ’断面図である。
【図１２】図２に示す下衣のＥ−Ｅ’断面図である。
【図１３】図１に示す下衣の右側面図である。
【図１４】図８に示す下衣の右側面図である。
【図１５】腰部保護ベルトを完全に下衣の内側に隠す構造を持つ下衣の正面かつ上の方から見た図である。
【図１６】腰部保護ベルトを装着した図１５に示す下衣の正面かつ上の方から見た図である。
【図１７】腰部保護ベルトを部分的に隠すことができる構造を持つ下衣の正面かつ上の方から見た図である。
【図１８】腰部保護ベルトを装着した図１７に示す下衣の、部分的に腰部保護ベルトを隠した際の正面かつ上の方から見た図である。
【図１９】腰部保護ベルトを装着した図１７に示す下衣の、部分的に腰部保護ベルトを隠さず前面に腰部保護ベルトが出ている際の正面かつ上の方から見た図である。
【図２０】実施例１５で使用した下衣の正面かつ上の方から見た図である。
【図２１】比較例２で使用した下衣の正面かつ上の方から見た図である。
【図２２】比較例１で使用した下衣の正面かつ上の方から見た図である。
【図２３】図１および図３に示した下衣において筒状部へ腰部保護ベルトを装着する手順における第１の工程に示した模式図である。
【図２４】図１および図３に示した下衣において筒状部へ腰部保護ベルトを装着する手順における第２の工程に示した模式図である。
【図２５】図１および図３に示した下衣において筒状部へ腰部保護ベルトを装着する手順における第３の工程に示した模式図である。
【発明を実施するための形態】
【００１１】
本発明でいう用語の意味は以下のとおりである。
【００１２】
下衣：下半身に着用する衣服であり、例えばスラックス、ジーンズ、チノ・パンツ、カーゴパンツ、および、半ズボンなどのズボン、スカート、ならびに、つなぎ服がある。
【００１３】
腰周部分：下衣の着用時に、着用者の脊柱の下部から骨盤までの部分の体表面周りに、直接または間接に当たる下衣の一部、または全部である。この腰周部分は、ベルト通し、脇ポケット、後ろポケット、前後ファスナーを含むウエスト部分、及びズボンの股上部分からなる群より選ばれる１つ以上を有していてもよい。
【００１４】
背面部分：着用者の背面に直接または間接に当たる下衣の一部。
【００１５】
筒状部：下衣の腰周部分、背面部分にある筒状の部分。下衣本体の背面部分の前部にある。必ずしも断面が円である必要はなく、断面が中空または中空になりうるものであればよく、つぶれていてもよいし、折り畳まれてほぼ面状になっていてもよい。筒状部の軸方向は筒状部の長さ方向でもある。
【００１６】
本発明の第１の実施態様における筒状部：下衣身生地と、その生地とは異なる面状物と、から構成される筒状部。
【００１７】
本発明の第２の実施態様における筒状部：下衣身生地とは異なる面状物とから構成される筒状部。
【００１８】
第１の実施態様の発明：第１の実施態様の筒状部を有する発明。
【００１９】
第２の実施態様の発明：第２の実施態様の筒状部を有する発明。
【００２０】
筒状部の後方部分：筒状部は、筒状部の着用者の身長の方向の方向における上端と下端のなす線で２つの部分に区分できる。そのうち、着用者から遠い部分。第１の実施態様では、図３の、「腰周部分で背部にある下衣身生地５」。第２実施態様では図９の、「筒状部の後方部分１５’」。以下「筒状部後方部分」ということがある。
【００２１】
筒状部の前方部分：筒状部は、筒状部の着用者の身長の方向の方向における上端と下端のなす線で２つの部分に区分できる。そのうち、着用者に近い部分。第１の実施態様では図３の、「筒状部の前方部分６」。第２実施態様では図９の「筒状部の前方部分１５」。以下「筒状部前方部分」ということがある。
前方：下衣における着用者の前の方向（図１２では符号１９）。
後方：下衣における着用者の後ろの方向（図１２では符号２０）。
【００２２】
以下に本発明を、図を用いて説明するが、本発明は以下の開示のみに限定されるものではない。
【００２３】
まず、第１の実施態様の下衣について説明する。
【００２４】
図１は第１の実施態様の例となる下衣の一部を示す正面かつ上の方から見た図であり、図２は図１に示す下衣の右側面図である。本発明の下衣１は、その周りに腰周部２を有している。
【００２５】
また、第１の実施態様の下衣１が有する腰周部２は、その背面部分１８に筒状部３を有している。また、この筒状部３は、その軸方向が腰周部の腰周方向４と略平行となるように配置されている。
【００２６】
そして、図６を参照されたい。この筒状部３の内部には、腰部保護ベルト９を、筒状部３の中に挿入することができる。
【００２７】
次に、図３は図１に示す下衣のＡ−Ａ’断面図である。図１の筒状部３は、図３に示すように腰周部で背部にある下衣生地５と筒状部前方部分６を構成する面状物とから構成されており、前記面状物は下衣の内側に配置されている。下衣生地５は本発明でいう筒状部後方部分となっている。また、筒状部前方部分６は面状物が使用されている。その結果、下衣身生地と、その生地とは異なる面状物と、から構成される筒状部３が形成されている。
【００２８】
そして、面状物で構成される筒状部前方部分６の上端は、下衣生地５と、腰周方向に係止部７により連続的にまたは断続的に連結されている。図３の形態のように筒状部前方部分６を構成する面状物の上端が腰周部と連結されていることが、本実施形態の下衣の着用時に着用者の爪先などが面状物と下衣生地５との間で引っかかってしまうことを抑制することができるので好ましい。
【００２９】
ただ、図３に示される形態に限定されることはない。面状物の上端よりも少し下の部分（面状物の上端の下方に位置する部位）が、連結されている形態、すなわち、係止部の上方に面状物の上端がはみ出している形態であってもよい。
【００３０】
また、図３では、筒状部前方部分６を構成する面状物の下端は、腰周方向に断続して、腰周部分で背部にある下衣生地５と係止部８により連結されている。下端で連結していることが好ましい理由は以下のとおりである。
【００３１】
面状物の下端部を下衣身生地の内面に沿うように固定できる。その結果、腰部保護ベルトを筒状部内部に通した際の収まりがよい。また、面状物の下端部が下衣の内側で勝手に動くことを抑制できる。面状物が下衣の内側で折れ曲がることを抑制することができるため、着用者は下衣を履いたままでも腰部保護ベルトを筒状部に通すことができる。
【００３２】
図３に示される形態に限定することはない。面状物の下端よりも少し上の部分（面状物の下端の上方に位置する部位）が、連結されている形態、すなわち、係止部の下方に布帛の下端がはみ出している形態であってもよい。
【００３３】
本発明で図３のような断面を有する形態の下衣においては、係止部７および係止部８は縫製により形成されており、布帛（面状物）の上方部および下方部は、それぞれ、腰周方向に断続して、それぞれ腰周部分で背部にある下衣生地と連結されている。この連結は断続している必要はなく、連続していてもよい。この連結は、筒状部を構成しているところの面状物の上端および下端で行われるのが好ましい。ここで、断続した係止部としては、縫製や接着剤や融着、面ファスナーやボタンなどによる係止により得られるものが挙げられる。その一方で、連続した係止部としては、縫製や融着により得られるものが挙げられる。なお、縫製は通常の本縫いのほか、人への肌触りを円滑にする観点から、フラットシーマ縫製や二本針、三本針縫製などの環縫いがより好ましい。また、断続した係止部の形態例としては図１に示す本実施形態の下衣が備えるものに限定されず、例えば、筒状部の軸方向における筒状部の両端部の下端にそれぞれ１点のみ設けられるような係止部であってもよい。
【００３４】
また、図１および図３で示した筒状部前方部分６の中央部にはスリット２５が１つのみ配置されており、このスリット２５は長手方向が前記腰周方向と略直交するように設けられている。仮に、このスリット２５がない場合、図２２に示したような筒状部となる。図２２に示されたような筒状部の構造では、腰部保護ベルトの装着時、作業者は、ベルトの一方端を筒状部の一方の端部に配置された開口から挿入し筒状部の他方の開口へ向けて挿通させてベルトを装着することとなる。このような装着方法では、ベルトが筒状部の途中で詰まってしまったり、ベルトが筒状部の内部で折れてしまったりする可能性がある。そして、その場合には、作業者は、筒状部の他方の開口から筒状部の内側に手を入れてベルトを引っ張り出すことなどが必要となる。しかしながら、このように筒状部の他方の開口から手を入れてベルトを引っ張り出す場合にも、筒状部の一方の開口から他方の開口といったように、ベルトの挿通距離が長いとベルトが詰まっているところまで手を入れるのも困難となる傾向が見られる。上記のような不都合が生じるため、筒状部の両端のうちの一方の端部に配置された開口からベルトを挿入する方法を採用せざるを得ない構成の下衣では、着用者が腰部保護ベルトを前記筒状部へ装着を完了するのに時間がかかる、という課題がある。しかしながら、上記のスリット２５を設けることで、図２３、図２４および図２５で示したような手順で容易に腰部保護ベルトの下衣への装着ができる。
【００３５】
具体的に説明すると、まず、腰部保護ベルトを背部の中心から左右のどちらか一方の端部を筒状部へ挿通し（図２４）、その後、腰部保護ベルトの他方の端部を筒状部の先ほどと反対側へと通し（図２５）、腰部保護ベルトを装着することが可能となり、腰部保護ベルト挿入作業の大幅な時間短縮が可能となる。そして、図１に示したとおり、筒状部にはスリット２５が１つのみ設けられている。スリット２５の数を１つに限定する理由としては、以下のとおりである。第１の実施態様の下衣におけるスリットは、このスリットから腰部保護ベルトを挿入し、筒状部に腰部保護ベルトを挿入する作業を簡便にする目的で配置されている。したがって、このスリットの数が２つ以上（例えば、スリットＡおよびスリットＢの２つ）であると、腰部保護ベルトをスリットＡから筒状部の中に通していく際に腰部保護ベルトの先端がスリットＢに引っかかり、スリットＡからベルトが上手く入りにくくなり、かえって手間が増えてしまい筒状部前方部分にスリットを設置することによる効果が十分に得られない傾向がみられる。さらにスリットの数が増えれば増えるほど、上記のような手間が増え、筒状部前方部分にスリットを設置することによる効果は小さくなっていくといえる。上記のような理由から、筒状部前方部分に設置するスリットの数は１つに限定される。
【００３６】
また、本実施形態においては、スリットは前記筒状部の前方部分かつ前記筒状部の長手方向の略中央部分に設けられている。ここで、スリットは筒状部の前方部分のみに配置されていることが好ましい。スリットが筒状部の前方部分のみに配置されている、すなわち、筒状部の後方部分にスリットが存在しないことで、腰部保護ベルトを筒状部に装着した際に腰周部の外観からは腰部保護ベルトが露出することを回避できる。そして、このような下衣では、着用時に、腰部保護ベルトの下衣の外部にある突起物等への引っ掛かりが抑制されるため着用者が安全に作業を行うことが可能となる。スリットの設置位置を筒状部前方部分かつ筒状部の長手方向の略中央部分とする理由としては、以下のとおりである。前述したように、第１の実施態様の下衣におけるスリットは、このスリットから腰部保護ベルトを挿入し、筒状部に腰部保護ベルトを挿入する作業を簡便にする目的で配置されている。したがって、このスリットが筒状部前方部分の両端のうちどちらか一方に極めて近い箇所に設置されていた場合、従来の、筒状部の両端のうちどちらか一方から腰部保護ベルトを挿入する場合と作業のし易さがほぼ同じとなり、筒状部前方部分にスリットを設置することによる効果が極端に減少してしまう。上記の理由から、スリット２５は筒状部の前方部分かつ筒状部の長手方向の中央部分に配置されていることが好ましいが、下衣への腰部保護ベルトの装着の作業性に大幅な悪影響を及ぼさない限りにおいては、スリット２５の筒状部における配置の位置は、筒状部の長手方向の中央部分から筒状部の一方の端部側に寄った位置であってもよい。筒状部の長手方向の略中央部分とは、筒状部を長手方向に３等分した場合に、真ん中に位置する筒状部の一部分をいう。
【００３７】
以上の理由により、第１の実施態様の下衣におけるスリットは筒状部前方部分の略中央部分に１つのみ設けられている。
【００３８】
さらに、前記筒状部には以下の（１）および（２）の条件を満たすスリットを１つのみ備えている。
（１）前記スリットは前記スリットの長手方向が前記腰周方向と略直交するように設けられている
（２）前記腰周方向と直交する方向における前記筒状部の幅（Ｗ１）と前記スリットの長手方向における前記スリットの幅（Ｗ２）との比（Ｗ２／Ｗ１）が０．７０〜１．００である。
【００３９】
前記スリットは前記スリットの長手方向が前記腰周方向と略直交するように設けられている。なお、長手方向が腰周方向と略直交するとは、長手方向と腰周方向に直交する方向とで形成される鋭角の角度が０〜１５度となる場合をいう。このようにスリットを配置することで、腰部保護ベルトの筒状部への挿通方向が筒状部の長手方向と略平行となり、腰部保護ベルトの装着作業が簡便となる。ここで、スリットの形状には特に制約はないが、例えば、図１および図２４で示したような略楕円形状のスリットが挙げられる。また、このスリットは単純に筒状部の前方部分の面状物の中央に切り込みを入れただけのものでも、スリットの開口の縁が布帛で挟まれ縁取りされた上で縫製されているものであってもよい。これらの形態のなかでも、スリットは、スリットの開口の縁が布帛で挟まれ縁取りされた上で縫製されているもののようにスリットの開口の縁が補強されているものであることが好ましい。スリットの開口の縁が補強されているスリットでは、スリットの開口の縁と腰部保護ベルトとの摩擦により、スリットの開口の縁が摩耗するなどして損傷をうけることを抑制することができるためである。スリットは、スリットの開口の縁周の全体が補強されているものであることが特に好ましい。さらに、このスリットの開口の縁取りに使用する布帛は腰部保護ベルトの出し入れを簡便にするために伸縮性のある布帛であることが好ましく、この伸縮性のある布帛を得る素材としては後述する筒状部前方部分の面状物の素材と同様のものが挙げられる。
【００４０】
さらに、図１に示したとおり、筒状部の幅をＷ１とし、スリットの長手方向の幅をＷ２とした際のＷ１とＷ２との比（Ｗ２／Ｗ１）は０．７０〜１．００である。ここで、前提として、下衣による腰部保護ベルトの保持性を優れたものとするとの観点からは、腰部保護ベルトが備える腰部保護部の着用者の身長方向に略平行な方向における幅と筒状部の着用者の身長方向に略平行な方向における幅とが近似するほど好ましい。なお着用者の身長方向に略平行な方向とは、上下方向に略平行な方向でもあり、後述する方向Ｉに平行な方向である。以下、略上下方向と称することがある。
【００４１】
よって、下衣による腰部保護ベルトの保持性を優れたものとするため、下衣の着用者は、下衣に装着する腰部保護ベルトに、この腰部保護ベルトが備える腰部保護部の略上下方向における幅が下衣の筒状部の略上下方向における幅と近似する腰部保護ベルトを採用するのが通常である。そして、この場合において、Ｗ１とＷ２との比（Ｗ２／Ｗ１）が０．７０以上であることで、筒状部前方部分の形態安定性を保ちながら腰部保護ベルトの筒状部への出し入れ作業が容易となるとともに、下衣に装着する腰部保護ベルトとして、腰部保護部の略上下方向における幅が十分な大きさの腰部保護部を備えた腰部保護ベルトを採用することができる（なお、詳細は後述するが、略上下方向における幅が５〜２０ｃｍと、十分な大きさの幅の腰部保護部を備える腰部保護ベルトは優れた腰部保護性能を発揮する傾向にある）。また、Ｗ１とＷ２との比（Ｗ２／Ｗ１）を１．００以下とすることで、筒状部から腰部保護ベルトを出し入れする際の筒状部の変形を最低限に抑えられ、筒状部全体の形態安定性を保つことができる。こうした点を踏まえて、筒状部前方部分の形態安定性を保ちつつ、腰部保護ベルトを出し入れするのに十分なスリット幅を確保するために、Ｗ１とＷ２との比（Ｗ２／Ｗ１）は前記範囲とする。また、上記の観点から、Ｗ１とＷ２との比（Ｗ２／Ｗ１）は０．８０以上であることがより好ましく、一方、０．９８以下であることがより好ましい。なお、Ｗ１は、スリットが設けられている筒状部の部分における、腰周方向と直交する方向における筒状部の幅のうち、最大となる幅の値をいい、Ｗ２はスリットの長手方向の幅のうち、最大となる幅の値をいう。
【００４２】
また、スリットの長手方向に直交する方向の幅をＷ３としたとき、このＷ３は、０．５ｃｍ以上３ｃｍ以下であることが好ましい。Ｗ３が、０．５ｃｍ以上であることで、腰部保護ベルトの全体の剛性が高く、大きく折り曲げることが困難な腰部保護ベルトであっても、この腰部保護ベルトの筒状部への装着が容易となる。具体的には、筒状部が備えるスリットから腰部保護ベルトの一方の端部を筒状部に挿通した後、腰部保護ベルトの他方の端部をスリットに挿入する際には、腰部保護ベルトの筒状部から出ている部分を大きく折り曲げる必要があるが、Ｗ３が大きいほど腰部保護ベルトの筒状部から出ている部分の折り曲げの程度が小さくて済み、結果として、この腰部保護ベルトの筒状部への装着が容易となる。一方で、Ｗ３が、３ｃｍ以下であることで、筒状部による腰部保護ベルトの下衣への固定がより強固なものとなる。具体的には、Ｗ３が小さいほど、筒状部に設けられたスリットにより下衣に装着された腰部保護ベルトの筒状部で覆われない部分は少なくなり、腰部保護ベルトは筒状部により下衣により強固に固定される。なお、Ｗ３はスリットの長手方向に直交する方向の幅のうち、最大となる幅の値をいう。
【００４３】
ここで、第１の実施態様の下衣における下衣身生地について説明する。この実施態様の下衣では、下衣身生地とは、下衣を構成する部材のうち、筒状部前方部分を構成する面状物以外の生地である。図１３は図１に示す下衣の外観図である。図１３では、見えない部分であるが破線で筒状部前方部分６を構成する面状物が示されており、実線で下衣身生地２４が示されている。
【００４４】
また、図１２は図２に示す下衣のＥ−Ｅ’断面図である。図１に示す本発明の下衣の実施態様においては、腰周部分で背部にある下衣生地５と筒状部前方部分６を構成する面状物とから構成される筒状部が腰周部分での背面部１８に形成されている。また、筒状部の内部の空間、すなわち、腰周部分で背部にある下衣生地５と筒状部の前方部分６との間の空間は腰部保護ベルト配置用空間２１であり、ベルトが装着されたベルト付き下衣の状態では、この腰部保護ベルト配置用空間２１には腰部保護ベルトの腰部保護部が収納される。
【００４５】
次に、図４は第１および第２の実施態様のいずれの下衣にも装着し得る腰部保護ベルトの一例であって、一方の面を示す正面図である。図５はその腰部保護ベルトの背面図である。この腰部保護ベルト９は、腰部保護部１０、この腰部保護部１０の左右に配置されたベルト部１１、腰部保護ベルトの一方の端部に配置された第一の固定部材１２、腰部保護ベルトの他方の端部に配置された第二の固定部材１３、および腰部保護部１０の中央に配置されたボーン１４を有する。
【００４６】
図４および図５に示した腰部保護ベルト９の腰部保護部１０は、幅が大きくなっている帯状のものである。このように幅が大きくなっているのがボーンを配置する上で好適である。図示したものと違い、腰部保護部がベルト部と同じ幅や、また、ベルト部より狭くてもよい。腰部保護部の着用者の身長方向の幅（背幅）は５〜２０ｃｍであることが好ましい。背幅を５ｃｍ以上とすることで、着用者の腰部の締め付け圧が狭幅部分に集中し、圧力が相対的に高くなり血管等を過度に圧迫することを抑制することができ、また、腰部保護部の配置の際の位置決めにおいて、腰部保護部が骨盤の上部がかかるようにするための負担を軽減できる。背幅を２０ｃｍ以下とすることで、長時間の着用時の暑苦しさをより軽減することができる。こうした点を踏まえて、可動制限を最小限に抑えつつ、長時間の着用や作業性を確保するために、腰部保護部の背幅を前記範囲とすることが好ましい。また上記の観点から、背幅は８ｃｍ以上であることがより好ましく、一方、１５ｃｍ以下であることがより好ましい。
【００４７】
腰部保護部はベルト部と同じ素材を用いたものであっても、異なる素材を用いたものであってもよい。なお、腰部保護部やベルト部の素材としては、布帛や合成皮革などを用いることができる。腰部保護ベルトを洗濯可能なものとすることができるとの理由から、上記の素材は布帛であることが好ましい。また、上記布帛の素材としては、ポリエチレンテレフタレート繊維やポリアミド繊維などの合成繊維、綿などの天然繊維、レーヨンなどの再生繊維などを用いることができる。また、上記の布帛の素材として、上記の繊維を複数用いることもできる。
【００４８】
また、腰部保護部は、脊柱の位置を安定させるためボーンを備えることが好ましい。ここで、ボーンの素材は金属および樹脂などで比較的曲げ応力の高いものが好ましい。その形状もスパイラル状および着用者の身長方向に長手方向を有する短冊状ボーンのものや、腰部保護部を面で覆う板状のものが例示される。また、前記短冊状ボーンと前記板状ボーンを併用していても構わない。
【００４９】
また、図示していないが、腰部保護部には、滑り止め部材を備えていてもよい。
【００５０】
そして、上記の腰部保護ベルトを本発明の下衣に装着した状態において、この腰部保護ベルトが備える第一の固定用部材と第二の固定部材とを着用者の前方にて接合させることで、着用者の腰部に対する着圧を高めることができる。着用者の腰部に対する着圧の調整幅を大きくすることができることから、第一の固定用部材および第二の固定部材のいずれかは少なくとも腰部保護ベルトの長手方向に長いものであることが好ましい。さらに、着用者の腰部に対する着圧を調整する幅を大きくする目的で、帯状の平ゴム等からなる補助ベルトを備えていてもよい。
【００５１】
ここで、この腰部保護ベルトが備える第一の固定用部材および第二の固定用部材は、互いを係止させるために、材料として面ファスナーを用いることが好ましい。その場合の面ファスナーの種類については特に制約はないが、下衣身生地を傷をつけることで下衣身生地にピリングが発生してしまうことを考慮すると、雄面の突起部の先端部分が丸みを帯びているきのこ型の形態の面ファスナーを用いることが好ましい。
【００５２】
図６は、図１の下衣に図４に示す腰部保護ベルトを装着した状態を示す正面かつ上方から見た図である。図７は、図６の下衣およびそれに装着した腰部保護ベルトのＢ−Ｂ’断面図である。この実施態様においては、筒状部３の内部に、腰部保護ベルト９が、この腰部保護ベルト９の長手方向が筒状部３の軸方向と略平行となるように、かつ、腰部保護ベルトのボーンが設けられた側の面（以下、腰部保護ベルトのこの面を「腰部保護ベルトの面Ａ」と称することがある）が下衣の着用時に着用者側となるように挿入、配置されている。そして、図６で示すところのこの筒状部３の右側の筒状部の外側には腰部保護ベルトの右側端部が筒状部から突出した状態で配置されている。また、この筒状部３の左側の筒状部外側には腰部保護ベルトの左側端部が筒状部から突出した状態で配置されている。また、この腰部保護ベルトが備える腰部保護部は筒状部に覆われており、筒状部後方部分の内面は腰部保護ベルトの面Ａの反対側の面（以下、腰部保護ベルトのこの面を腰部保護ベルトの面Ｂと称することがある）と接している。すなわち、腰部保護ベルトの面Ｂは下衣身生地の腰周部分で背部にある下衣生地の内面と接している。
【００５３】
図３を参照されたい。第１の実施態様の下衣においては、腰周部で背部にある下衣生地５が筒状部後方部分に相当する。そうなると、その内面２２の静摩擦係数が０．２〜１．０であることが好ましい。
【００５４】
また、図３の筒状部前方部分６を構成する面状物の幅方向（以下、方向Ｉと称することがある）の１０％伸長時の応力は１０Ｎ／２５ｍｍ以下である。ここで方向Ｉとは、下衣の着用時における着用者の身長方向と略平行な方向でもある。
【００５５】
ここで、面状物の素材としては、特に限定はされないが、汎用性に優れるとの理由により、布帛が好ましい。なかでも織物または編物がさらに好ましい。また布帛に用いられる繊維としては、合成繊維や天然繊維を上げることができ、複数の繊維が用いられてもよい。耐洗濯性や原糸・編織設計の汎用性を考慮するとポリエステル繊維やナイロン繊維などの合成繊維を単独で使用したり、ポリエステル繊維やナイロン繊維などの合成繊維と、ポリウレタン繊維、レーヨン繊維、アクリル繊維、および綿繊維からなる群から選ばれる１種以上と、を複合して使用することが好ましい。
【００５６】
上述のとおり、筒状部前方部分（図７では符号６）の面状物の幅方向、すなわち方向Ｉでの１０％伸長時の応力は１０Ｎ／２５ｍｍ以下であることが好ましい。これを達成するために使用できる布帛は、経緯の両方あるいは、経緯のいずれかの糸に伸縮性のある糸を用いた織物、織物に比較して伸びやすい編物である。編物においては伸縮性のある糸と非伸縮性の糸の配合率を適宜調整することで得ることができる。具体的には、方向Ｉの１０％伸長時の応力が１０Ｎ／２５ｍｍ以下である布帛として以下のものが挙げられる。
（Ｉ）絹やウールなどの天然繊維やレーヨンなどの再生繊維、アクリル系繊維やポリエステル系繊維などの合成繊維などに弾性繊維（ポリウレタン繊維など）を混用した繊維から構成される織物。
（ＩＩ）絹やウールなどの天然繊維やレーヨンなどの再生繊維、アクリル系繊維やポリエステル系繊維などの合成繊維などに弾性繊維（ポリウレタン繊維など）を混用した繊維から構成される編物。
（ＩＩＩ）弾性繊維を使用しないで、一方がポリトリメチレンテレフタレート（ＰＴＴ）を主体としたポリエステル樹脂であり、他方がポリエチレンテレフタレートを主体としたポリエステル樹脂である２種類のポリエステル樹脂を繊維長さに沿ってサイドバイサイドに貼りあわせた複合繊維のマルチフィラメントを経糸および緯糸の少なくとも一方に用いた織物。
（ＩＶ）弾性繊維を使用しないで、一方がポリトリメチレンテレフタレート（ＰＴＴ）を主体としたポリエステル樹脂であり、他方がポリエチレンテレフタレートを主体としたポリエステル樹脂である２種類のポリエステル樹脂を繊維長さに沿ってサイドバイサイドに貼りあわせた複合繊維のマルチフィラメントを用いた編物。
（Ｖ）パワーネット。
【００５７】
ここで、パワーネットとは、ナイロン繊維等と弾性繊維（例えば、ポリウレタン繊維）とから生成された目の細かいネット状の生地をいう。目付け１００ｇ／ｍ２程度の比較的薄地のものでよく伸び、キックバック性にも優れており、下衣の背面部分に備える筒状部の機能を担保しつつ、この筒状部をコンパクトに実現することができるとの理由により、筒状部前方部分６（すなわち、面状物）はパワーネットであることが好ましい。
【００５８】
上で説明したとおり筒状部後方部分（図７では腰周部分で背部にある下衣生地５が該当）の内面２２の静摩擦係数が０．２以上１．０以下であることが好ましい。また、この静摩擦係数が選ばれる理由は後述する。ここで、筒状部後方部分の内面２２の静摩擦係数を０．２〜１．０とするための手段としては以下のものが例示される。
【００５９】
下衣身生地を織物や編物とし、この生地の表面の凹凸状態や、この生地を構成する糸の種類によって静摩擦係数を調整することができる。織物では、表面の凹凸が少ない平織では静摩擦係数が小さくなり、逆に、織物表面に斜めの畝が現れる綾織や、斜めの畝は現れないが一定間隔で組織点を配置した朱子織では静摩擦係数が大きくなる。また、生地の表面にパイルを設けたり、表面を起毛したりすることは一般に静摩擦係数を高める。編物では、緯編みでも、経編みでもよく、編地の粗密によって静摩擦係数を調整することができる。ただ、編目が切断してもランを起こしにくく、その結果耐久性が高くなるという観点から経編みが好ましい。織物または編物へ使用する糸の形状によっても、静摩擦係数を調整することができる。例えば、フィラメント糸の方が紡績糸に比べて繊維表面の凹凸が小さいので、この糸を用いた生地の静摩擦係数を小さくすることができる。また、糸の素材によっても静摩擦係数は調整可能であり、例えばポリテトラフルオロエチレン繊維（ＰＴＦＥ繊維）はそれ自体が、静摩擦係数が低く、逆に、ゴムやポリウレタン糸はそれ自体が、静摩擦係数が高い。生地の一部または全部に、このような糸を使用することで生地としての静摩擦係数を調整することができる。また、静摩擦係数は生地の表面と裏面とで異なる値とすることもできる。両面編組織（トリコット）の片面は弾性糸のみによるニットループを形成して経編地が構成され、もう一方の面は弾性糸と非弾性糸との併用によるニットループを形成して経編地が構成されることで、弾性糸のみによるニットループを形成した面については、高い静摩擦係数が発現する。
【００６０】
さらに、筒状部前方部分の人体から遠い部分の面２７（すなわち、筒状部前方部分の着用者側の面の反対側の面）も、０．２〜１．０であることが好ましい。また、静摩擦係数の調整方法としては、腰周部分で背部にある下衣生地５の内面の静摩擦係数の調整方法と同様に織編組織の表面の凹凸や糸の形状や種類によって調整することが挙げられる。筒状部前方部分の人体から遠い部分の面の静摩擦係数が０．２〜１．０であることで、第１の実施態様の下衣において腰部保護ベルト挿入作業を簡便化するという効果がより顕著なものとなる。
【００６１】
また、筒状部前方部分の外面２３（すなわち、前記筒状部の人体に近い部分の面）の静摩擦係数は０．２〜１．０であることが好ましい。また、静摩擦係数の調整方法としては、腰周部分で背部にある下衣生地５の内面の静摩擦係数の調整方法と同様に織編組織の表面の凹凸や糸の形状や種類によって調整することが挙げられる。筒状部前方部分の外面の静摩擦係数が０．２〜０．１であることで、着用者の動作に伴う着用者の着用する下着の着用者の腰部に対する着用者の身長方向でのスライドを抑制でき、着用者の着心地を良好なものにすることができる。
【００６２】
続いて、第２の実施態様の筒状部を有する下衣について以下、説明を行う。
【００６３】
第２の実施態様の筒状部は、下衣身生地とは異なる面状物から構成される。
【００６４】
図８は第２の実施態様の下衣を正面かつ上方から見た図である。図９は図８に示す下衣のＣ−Ｃ’断面図である。この実施態様においても、図８に示すように、下衣１は腰周部２を有しており、そして腰周部２の背部には筒状部３を有している。さらに、この筒状部３はその軸方向が腰周部の腰周方向と略平行となっている。第２の実施態様の筒状部は、下衣身生地とは異なる面状物から構成されており、例えば、図９に示すように筒状部前方部分１５および筒状部後方部分１５’から構成されている。筒状部の上端および下端はそれぞれ係止部１６および係止部１７により下衣身生地の腰周部分で背部にある下衣生地と連結されている。
【００６５】
また、図８および図９で示した筒状部前方部分１５の略中央部にはスリット２６が１つのみ配置されており、このスリット２６は長手方向が前記腰周方向と略直交するように設置されている。仮に、このスリット２６がない場合、図２２に示したような筒状部となる。このような筒状部の構造では、腰部保護ベルトの装着時、ベルトの一方端を筒状部の一方の開口から挿入し筒状部の他方の開口へ挿通してベルトを装着することとなる。このような装着方法では、ベルトが途中で詰まってしまったり、ベルトが筒状部の内部で折れてしまったりする可能性がある。その場合には、作業者は、筒状部の他方の開口から筒状部の内側に手を入れてベルトを引っ張り出すことなどが必要となる。しかしながら、このように筒状部の他方の開口から手を入れてベルトを引っ張り出す場合にも、筒状部の一方の開口から他方の開口といったように、ベルトの挿通距離が長いとベルトが詰まっているところまで手を入れるのも困難となる傾向が見られる。上記のような種々の不都合が生じるため、筒状部の両端のうちの一方の端部に配置された開口からベルトを挿入する方法を採用せざるを得ない構成の下衣では、着用者が腰部保護ベルトを前記筒状部へ装着を完了するのに時間がかかる、という課題がある。しかしながら、上記スリット２６を設けることで、図２３、図２４および図２５で示したような手順で容易に腰部保護ベルトの下衣への装着ができる。具体的に説明すると、まず腰部保護ベルトを背部の中心から左右どちらか一方の端部を筒状部へ挿通し（図２４）、その後腰部保護ベルトの他方の端部を先ほどと反対側の筒状部へと通し（図２５）、腰部保護ベルトを装着することが可能となり、腰部保護ベルト挿入作業の大幅な時間短縮が可能となる。そして、図８に示したとおり、筒状部にはスリット２６が１つのみ設けられている。スリット２６の数を１つに限定する理由としては、以下のとおりである。第２の実施態様の下衣におけるスリットは、このスリットから腰部保護ベルトを挿入し、筒状部に腰部保護ベルトを挿入する作業を簡便にする目的で配置されている。したがって、このスリットの数が２つ以上（例えば、スリットＡおよびスリットＢの２つ）であると、腰部保護ベルトをスリットＡから筒状部の中に通していく際に腰部保護ベルトの先端がスリットＢに引っかかり、スリットＡからベルトが上手く入りにくくなり、かえって手間が増えてしまい筒状部前方部分にスリットを設置することによる効果を十分に得られない傾向がみられる。さらにスリットの数が増えれば増えるほど、上記のような手間が増え、筒状部前方部分にスリットを設置することによる効果は小さくなっていくといえる。上記のような理由から、筒状部前方部分に設置するスリットの数は１つに限定される。
【００６６】
また、スリットは前記筒状部の前方部分かつ前記筒状部の長手方向の略中央部分に設けられている。スリットの設置位置を筒状部前方部分かつ筒状部の長手方向の略中央部分とする理由としては、以下のとおりである。まず、スリットの設置位置が筒状部前方部分であることで、下衣を着用しながらでも腰部保護ベルトを筒状部に装着および取り外しすることが可能であり、腰部保護ベルトの着脱が筒状部の後方部分に前記スリットが設けられている場合よりも簡便である。また、前述したように、第２の実施態様の下衣におけるスリットは、このスリットから腰部保護ベルトを挿入し、筒状部に腰部保護ベルトを挿入する作業を簡便にする目的で配置されている。したがって、このスリットが筒状部前方部分の両端のうちどちらか一方に極めて近い箇所に設置されていた場合、従来の、筒状部の両端のうちどちらか一方から腰部保護ベルトを挿入する場合と作業のし易さがほぼ同じとなり、筒状部前方部分にスリットを設置することによる効果が極端に減少してしまう。上記の理由から、スリット２６は筒状部の前方部分かつ筒状部の長手方向の中央部分に配置されていることが好ましいが、下衣への腰部保護ベルトの装着の作業性に大幅な悪影響を及ぼさない限りにおいては、スリット２６の筒状部における配置の位置は、筒状部の長手方向の中央部分から筒状部の一方の端部側に寄った位置であってもよい。筒状部の長手方向の略中央部分とは、筒状部を長手方向に３等分した場合に、真ん中に位置する筒状部の一部分をいう。
【００６７】
以上の理由により、第２の実施態様の下衣におけるスリットは筒状部前方部分の略中央部分に１つのみ設けられている。
【００６８】
さらに、前記筒状部には以下の（１）および（２）の条件を満たすスリットを１つのみ備えている。
（１）前記スリットは前記スリットの長手方向が前記腰周方向と略直交するように設けられている
（２）前記腰周方向と直交する方向における前記筒状部の幅（Ｗ１）と前記スリットの長手方向における前記スリットの幅（Ｗ２）との比（Ｗ２／Ｗ１）が０．７０〜１．００である。
【００６９】
前記スリットは前記スリットの長手方向が前記腰周方向と略直交するように設けられている。なお、長手方向が腰周方向と略直交するとは、長手方向と腰周方向に直交する方向とで形成される鋭角の角度が０〜１５度となる場合をいう。このようにスリットを配置することで、腰部保護ベルトの筒状部への挿通方向が筒状部の長手方向と略平行となり、腰部保護ベルトの装着作業が簡便となる。ここで、スリットの形状には特に制約はないが、例えば、図８および図２４で示したような略楕円形状のスリット挙げられる。また、このスリットは単純に筒状部の前方部分の面状物の中央に切り込みを入れただけのものでも、スリットの開口の縁を布帛で挟んで縁取りして縫製したものでもよい。このスリットから何度も腰部保護ベルトの出し入れを行うため、スリットの耐久性を高める観点から、スリットの開口の縁を布帛で挟んで縁取りし縫製することがより好ましい。さらに、このスリットの開口の縁取りに使用する布帛は腰部保護ベルトの出し入れを簡便にするために伸縮性のある布帛であることが好ましく、この伸縮性のある布帛を得る素材としては第１の実施態様で説明した筒状部前方部分の面状物の素材と同様のものが挙げられる。
【００７０】
さらに、スリットは筒状部の前方部分にのみあることが好ましい。スリットが筒状部の前方部分にのみあることで、スリットから腰部保護ベルトを挿入する際、誤って筒状部後方部分と下衣身生地との間に腰部保護ベルトが入ってしまい、もう一度腰部保護ベルトを引き出してスリットに入れなおす、といったように、腰部保護ベルトの挿入作業の手間が増えてしまうことが抑制される。よって、スムーズな腰部保護ベルトの挿入作業が可能となる。以上のような理由から、スリットが筒状部の前方部分にのみあることで、図２０に示したようにスリットが筒状部の後方部分にもある場合と比べて、腰部保護ベルト装着作業をより簡便にする観点から、スリットは筒状部の前方部分にのみあることが好ましい。
【００７１】
さらに、図８に示したとおり、第２の実施態様の下衣においても、筒状部の幅をＷ１とし、スリットの長手方向の幅をＷ２とした際のＷ１とＷ２との比（Ｗ２／Ｗ１）は０．７０〜１．００である。ここで、前提として、下衣による腰部保護ベルトの保持性を優れたものとするとの観点からは、腰部保護ベルトが備える腰部保護部の着用者の身長方向に略平行な方向（すなわち、上下方向に略平行な方向であり、前述の方向Ｉに平行な方向で、略上下方向と称することがある）における幅と筒状部の着用者の身長方向に略平行な方向における幅とが近似するほど好ましい。よって、下衣による腰部保護ベルトの保持性を優れたものとするため、下衣の着用者は、下衣に装着する腰部保護ベルトに、この腰部保護ベルトが備える腰部保護部の略上下方向における幅が下衣の筒状部の略上下方向における幅と近似する腰部保護ベルトを採用するのが通常である。そして、この場合において、Ｗ１とＷ２との比（Ｗ２／Ｗ１）が０．７０以上であることで、筒状部前方部分の形態安定性を保ちながら腰部保護ベルトの筒状部への出し入れ作業が容易となるとともに、下衣に装着する腰部保護ベルトとして、腰部保護部の略上下方向における幅が十分な大きさの腰部保護部を備えた腰部保護ベルトを採用することができる。なお、前述の通り、略上下方向における幅が５〜２０ｃｍと、十分な大きさの幅の腰部保護部を備える腰部保護ベルトは優れた腰部保護性能を発揮する傾向にある。また、Ｗ１とＷ２との比（Ｗ２／Ｗ１）を１．００以下とすることで、筒状部から腰部保護ベルトを出し入れする際の筒状部の変形を最低限に抑えられ、筒状部全体の形態安定性を保つことができる。こうした点を踏まえて、筒状部前方部分の形態安定性を保ちつつ、腰部保護ベルトを出し入れするのに十分なスリット幅を確保するために、Ｗ１とＷ２との比（Ｗ２／Ｗ１）は前記範囲とする。また、上記の観点から、Ｗ１とＷ２との比（Ｗ２／Ｗ１）は０．８０以上であることがより好ましく、一方、０．９８以下であることがより好ましい。なお、Ｗ１は、スリットが設けられている筒状部の部分における、腰周方向と直交する方向における筒状部の幅のうち、最大となる幅の値をいい、Ｗ２はスリットの長手方向の幅をいう。
また、スリットの長手方向に直交する方向の幅をＷ３としたとき、このＷ３は、０．５ｃｍ以上３ｃｍ以下であることが好ましい。Ｗ３が、０．５ｃｍ以上であることで、腰部保護ベルトの全体の剛性が高く、大きく折り曲げることが困難な腰部保護ベルトであっても、この腰部保護ベルトの筒状部への装着が容易となる。具体的には、筒状部が備えるスリットから腰部保護ベルトの一方の端部を筒状部に挿通した後、腰部保護ベルトの他方の端部をスリットに挿入する際には、腰部保護ベルトの筒状部から出ている部分を大きく折り曲げる必要があるが、Ｗ３が大きいほど腰部保護ベルトの筒状部から出ている部分の折り曲げの程度が小さくて済み、結果として、この腰部保護ベルトの筒状部への装着が容易となる。一方で、Ｗ３が、３ｃｍ以下であることで、筒状部による腰部保護ベルトの下衣への固定がより強固なものとなる。具体的には、Ｗ３が小さいほど、筒状部に設けられたスリットにより下衣に装着された腰部保護ベルトの筒状部で覆われない部分は少なくなり、腰部保護ベルトは筒状部により下衣により強固に固定される。なお、Ｗ３はスリットの長手方向に直交する方向の幅のうち、最大となる幅のことをいう。
【００７２】
図１４は、図８に示す第２の実施態様の下衣外観図である。図１４では、見えない部分であるが破線で筒状形状の布帛１５が示されており、実線で下衣身生地２４が示されている。そして図１０は、第２の実施態様である図８に示す下衣に図４および図５に示した腰部保護ベルトを装着した状態を示す正面かつ上方から見た図である。図１１は腰部保護ベルトを装着した図１０に示す下衣のＤ−Ｄ’断面図である。
【００７３】
図１０を参照されたい。第２の実施態様においては、筒状部３の内部に、腰部保護ベルト９が、挿入、配置されている。この腰部保護ベルト９の長手方向が筒状部３の軸方向と略平行となるように、かつ、腰部保護ベルトの面Ａが下衣の着用時に着用者側となっている。そして、この筒状部３の右側の腰部保護ベルトの右側端部が筒状部から突出した状態で配置され、また、この筒状部の左側の筒状部外部には腰部保護ベルトの左側端部が筒状部から突出した状態で配置されている。また、この腰部保護ベルトが備える腰部保護部は筒状部に覆われており、筒状部後方部分の内面は腰部保護ベルトの面Ｂと接し得る状態にある。すなわち、腰部保護ベルトの面Ｂは筒形状の布帛１５の下衣身生地の腰周部分で背部にある下衣生地の内面と接する面の反対側の面と接し得る状態にある。
【００７４】
第２の実施態様の下衣においても、筒状部後方部分の内面（図９において符号２２の面）の静摩擦係数が０．２〜１．０であることが好ましい。この静摩擦係数が選ばれる理由は後述のとおりである。そして、筒状部前方部分の幅方向（方向Ｉ）の１０％伸長時の応力は１０Ｎ／２５ｍｍ以下であることが好ましい。
【００７５】
第２の実施態様の下衣においても、筒状部を構成する面状物の素材としては、特に限定はされないが、好ましいものは布帛である。このような静摩擦係数を有する素材および伸長時の応力を有する素材としては、第１の実施態様で説明したものが使用できる。布帛を折り畳んで上方部を結合する方法に加え、布帛を２枚以上縫合する方法や、丸編物をそのまま使用して筒状とすることができる。そのまま使用して筒状部としてもよい。
【００７６】
さらに、筒状部前方部分の人体から遠い部分の面２７（すなわち、筒状部前方部分の着用者側の面の反対側の面）も、０．２〜１．０であることが好ましい。また、静摩擦係数の調整方法としては、第１の実施態様の腰周部分で背部にある下衣生地５の内面の静摩擦係数の調整方法と同様に織編組織の表面の凹凸や糸の形状や種類によって調整することが挙げられる。筒状部前方部分の人体から遠い部分の面の静摩擦係数が０．２〜１．０であることで、第２の実施態様の下衣において腰部保護ベルト挿入作業を簡便化するという効果がより顕著なものとなる。
【００７７】
また、筒状部前方部分の外面２３（すなわち、前記筒状部の人体に近い部分の面）の静摩擦係数は０．２〜１．０であることが好ましい。また、静摩擦係数の調整方法としては、第１の実施態様の腰周部分で背部にある下衣生地５の内面の静摩擦係数の調整方法と同様に織編組織の表面の凹凸や糸の形状や種類によって調整することが挙げられる。筒状部前方部分の外面の静摩擦係数が０．２〜０．１であることで、着用者の動作に伴う着用者の着用する下着の着用者の腰部に対する着用者の身長方向でのスライドを抑制でき、着用者の着心地を良好なものにすることができる。
【００７８】
そして、筒状部前方部分１５と後方部分１５’とから構成される筒状部は、上端で下衣生地５と、腰周方向に係止部１６により連続的にまたは断続的に連結されている。筒状部の上端が腰周部と連結されていることが、本実施形態の下衣の着用時に着用者の爪先などが筒状部と下衣生地５との間で引っかかってしまうことを抑制することができるので好ましい。
【００７９】
ただ、図９に示される形態に限定されることはない。面状物の上端よりも少し下の部分（面状物の上端の下方に位置する部位）が、連結されている形態、すなわち、係止部の上方に面状物の上端がはみ出している形態であってもよい。
【００８０】
また、図９では、筒状部の下端は、腰周方向に断続して、腰周部分で背部にある下衣生地５と係止部１７により連結されている。下端で連結していることが好ましい理由は以下のとおりである。
【００８１】
筒状部の下端部を下衣身生地の内面に沿うように固定できる。その結果、腰部保護ベルトを筒状部内部に通した際の収まりがよい。また、筒状部の下端部が下衣の内側で勝手に動くことを抑制できる。筒状部が下衣の内側で折れ曲がることを抑制することができるため、着用者は下衣を履いたままでも腰部保護ベルトを筒状部に通すことができる。
【００８２】
図９に示される形態に限定されることはない。面状物の下端よりも少し上の部分（面状物の下端の上方に位置する部位）が、連結されている形態、すなわち、係止部の下方に布帛の下端がはみ出している形態であってもよい。
【００８３】
本発明で図９のような断面を有する形態の下衣においては、係止部１６および係止部１７によって、筒状部は背部にある下衣生地と連結されている。ただし、布帛の上端または下端は、連続して、この下衣生地と連結されていてもよい。
【００８４】
ここで、断続または連続した係止部としては、第１の実施態様で説明した手段が挙げられる。
【００８５】
また、第１の実施態様、第２の実施態様に共通して、筒状部前方部分の略中央部分にはスリットが１つのみ配置されており、このスリットは長手方向が腰周方向と直交するように設けられている。このようなスリットを設けることで、腰部保護ベルトの筒状部への挿通方向が筒状部の長手方向と略平行となり、腰部保護ベルトの筒状部への装着作業が簡便となる。ここで、スリットの形状には特に制約はないが、例えば、図１および図８で示したような略楕円形状のスリットが挙げられる。また、このスリットは単純に筒状部の前方部分の面状物の中央に切り込みを入れただけのものでも、スリットの開口の縁を布帛で挟んで縁取りして縫製したものでもよい。このスリットから何度も腰部保護ベルトの出し入れを行うため、スリットの耐久性を高める観点から、スリットの開口の縁を布帛で挟んで縁取りし縫製することがより好ましい。さらに、このスリットの開口の縁取りに使用する布帛は腰部保護ベルトの出し入れを簡便にするために伸縮性のある布帛であることが好ましく、この伸縮性のある布帛を得る素材としては前述の筒状部前方部分の面状物の素材と同様のものが挙げられる。
【００８６】
そして、図１および図８に示したとおり、スリットは筒状部前方部分かつ筒状部の長手方向の中央部に１つのみ設けられている。スリットの数を１つに限定する理由としては、以下のとおりである。本実施形態の下衣におけるスリットは、このスリットから腰部保護ベルトを挿入し、筒状部に腰部保護ベルトを挿入する作業を簡便にする目的で配置されている。したがって、このスリットの数が２つ以上（例えば、スリットＡおよびスリットＢの２つ）であると、腰部保護ベルトをスリットＡから筒状部の中に通していく際に腰部保護ベルトの先端がスリットＢに引っかかり、スリットＡからベルトが上手く入りにくくなり、かえって手間が増えてしまい筒状部前方部分にスリットを設置することによる効果が十分に得られない傾向がみられる。さらにスリットの数が増えれば増えるほど、上記のような手間が増え、筒状部前方部分にスリットを設置することによる効果は小さくなっていくといえる。上記のような理由から、筒状部前方部分に設置するスリットの数は１つに限定される。
【００８７】
また、スリットの設置位置を筒状部前方部分かつ筒状部の長手方向の中央部分とする理由としては、以下のとおりである。前述したように、本発明の下衣におけるスリットは、このスリットから腰部保護ベルトを挿入し、筒状部に腰部保護ベルトを挿入する作業を簡便にする目的で配置されている。したがって、このスリットが筒状部前方部分の両端のうちどちらか一方に極めて近い箇所に設置されていた場合、従来の、筒状部の両端のうちどちらか一方から腰部保護ベルトを挿入する場合と作業のし易さがほぼ同じとなり、筒状部前方部分にスリットを設置することによる効果が極端に減少してしまう。上記の理由から、スリットは筒状部の前方部分かつ筒状部の長手方向の中央部分に配置されていることが好ましいが、下衣への腰部保護ベルトの装着の作業性に大きな悪影響を及ぼさない限りにおいては、スリットの筒状部における配置の位置は、筒状部の長手方向の中央部分から筒状部の一方の端部側に寄った位置であってもよい。ここで、上記の下衣への腰部保護ベルトの装着の作業性に大きな影響を及ぼさない、スリットの配置の位置をは筒状部の長手方向の略中央部分といい、筒状部の長手方向の略中央部分とは、筒状部を長手方向に３等分した場合に、真ん中に位置する筒状部の一部をいう。以上の理由により、本発明の下衣におけるスリットは筒状部前方部分の略中央部に１つのみ設けられている。
【００８８】
さらに、第１の実施態様、第２の実施態様に共通して、筒状部の幅をＷ１とし、スリットの長手方向の幅をＷ２とした際のＷ１とＷ２との比（Ｗ２／Ｗ１）は０．７０〜１．００である。ここで、前提として、下衣による腰部保護ベルトの保持製を優れたものとするとの観点からは、腰部保護ベルトが備える腰部保護部の着用者の身長方向に略平行な方向（すなわち、上下方向に略平行な方向であり、前述の方向Ｉに平行な方向である。）における幅と筒状部の着用者の身長方向に略平行な方向における幅とが近似するほど好ましい。よって、下衣による腰部保護ベルトの保持性を優れたものとするため、下衣の着用者は、下衣に装着する腰部保護ベルトに、この腰部保護ベルトが備える腰部保護部の略上下方向における幅が下衣の筒状部の略上下方向における幅と近似する腰部保護ベルトを採用するのが通常である。そして、この場合において、Ｗ１とＷ２との比（Ｗ２／Ｗ１）が０．７０以上であることで、筒状部前方部分の形態安定性を保ちながら腰部保護ベルトの筒状部への出し入れ作業が容易となるとともに、下衣に装着する腰部保護ベルトとして、腰部保護部の略上下方向における幅が十分な大きさの腰部保護部を備えた腰部保護ベルトを採用することができる（前述の通り、略上下方向における幅が５〜２０ｃｍと、十分な大きさの幅の腰部保護部を備える腰部保護ベルトは優れた腰部保護性能を発揮する傾向にある）。また、Ｗ１とＷ２との比（Ｗ２／Ｗ１）を１．００以下とすることで、筒状部から腰部保護ベルトを出し入れする際の筒状部の変形を最低限に抑えられ、筒状部全体の形態安定性を保つことができる。こうした点を踏まえて、筒状部前方部分の形態安定性を保ちつつ、腰部保護ベルトを出し入れするのに十分なスリット幅を確保するために、Ｗ１とＷ２との比（Ｗ２／Ｗ１）は前記範囲とする。また、上記の観点から、Ｗ１とＷ２との比（Ｗ２／Ｗ１）は０．８０以上であることがより好ましく、一方、０．９８以下であることがより好ましい。なお、Ｗ１は、スリットが設けられている筒状部の前方部分における、腰周方向と直行する方向における筒状部の幅のうち、最大となる幅の値をいう。
【００８９】
また、スリットの長手方向に直交する方向の幅をＷ３としたとき、このＷ３は、０．５ｃｍ以上３ｃｍ以下であることが好ましい。Ｗ３が、０．５ｃｍ以上であることで、腰部保護ベルトの全体の剛性が高く、大きく折り曲げることが困難な腰部保護ベルトであっても、この腰部保護ベルトの筒状部への装着が容易となる。具体的には、筒状部が備えるスリットから腰部保護ベルトの一方の端部を筒状部に挿通した後、腰部保護ベルトの他方の端部をスリットに挿入する際には、腰部保護ベルトの筒状部から出ている部分を大きく折り曲げる必要があるが、Ｗ３が大きいほど腰部保護ベルトの筒状部から出ている部分の折り曲げが小さくて済み、結果として、この腰部保護ベルトの筒状部への装着が容易となる。一方で、Ｗ３が、３ｃｍ以下であることで、筒状部による腰部保護ベルトの下衣への固定がより強固なものとなる。具体的には、Ｗ３が小さいほど、筒状部に設けられたスリットにより下衣に装着された腰部保護ベルトの筒状部で覆われない部分は少なくなり、腰部保護ベルトは筒状部により下衣により強固に固定される。なお、Ｗ３はスリットの長手方向に直交する方向の幅のうち、最大となる幅の値をいう。
【００９０】
また、第１の実施態様、第２の実施態様に共通して、筒状部前方部分の外面（すなわち、筒状部の人体に近い部分の面）の静摩擦係数は０．２〜１．０であることが好ましい。すなわち、この実施態様においては、筒状部の前方部分を構成する面状物の人体に近い部分の面の静摩擦係数は０．２以上１．０以下であることが好ましい。ここで、筒状部を構成する面状物の人体に近い方の面とは、例えば、図１０および１１に示される下衣において、この下衣の着用時に、着用者の身体や着用者の着用する下着などと接し得る筒状部前方部分１５の面である。なお、布帛の静摩擦係数を調整する手段としては上記のとおりである。筒状部前方部分の人体に近い部分の面の静摩擦係数が０．２〜１．０であることで、着用者の動作に伴う着用者の着用する下着の着用者の腰部に対する着用者の身長方向でのスライドを抑制できるという効果がより顕著なものとなる。
【００９１】
第１の実施態様の下衣、第２の実施態様の下衣に共通して、静摩擦係数および伸長時応力が特定範囲にあることによる作用効果を説明する。下衣が備える腰周部分が有する筒状部後方部分の内面の静摩擦係数は０．２〜１．０であることが好ましく、この筒状部前方部分の１０％伸長時応力は１０Ｎ／２５ｍｍ以下であることが好ましい。そして、本発明の下衣は上記のような特徴を備えることで、筒状部に腰部保護ベルトを装着する作業が簡便になる。上記の効果の奏される想定メカニズムは以下のとおりであると考える。
【００９２】
すなわち、筒状部に腰部保護ベルトを装着する際には、図１の符号２５および図８の符号２６で示された筒状部前方部分の中央に設けられたスリットから、腰部保護ベルトの、ベルト部の一方の端を挿入し、腰部保護部の中央付近まで挿入したところで（図２４）、同様に筒状部前方部分の中央に設けられたスリットへ、腰部保護ベルトをベルト部のもう一方の端から挿入し、筒状部に腰部保護ベルトを装着する（図２５）。その際、筒状部後方部分の内面は腰部保護ベルトの面Ｂと接することとなる。そして、この作業において、本発明の下衣が備える腰周部分が有する筒状部後方部分の内面の静摩擦係数が０．２以上１．０以下と小さいことで、腰部保護ベルトが、筒状部の中で引っかかることなくスムーズに移動し装着作業が簡便になる。また、前記筒状部前方部分が上方へ適度に伸びることで、特に同じスリットから腰部保護ベルトの両端を挿入していく際に、筒状部前方部分の伸縮性によりスリットの開口を少しだけ広げることができ、よりスムーズな挿入作業に繋がる。
【００９３】
第１の実施態様、第２の実施態様に共通して、本発明の下衣が備える筒状部後方部分の内面の静摩擦係数は０．２〜１．０が好ましいことは上記のとおりである。筒状部後方部分の内面の静摩擦係数が１．０以下であることで、筒状部へ腰部保護ベルトを挿入する際に引っかかることがなくスムーズに通すことができる。一方、筒状部後方部分の内面の静摩擦係数が０．２以上であることで、次の作用効果もある。すなわち腰部保護ベルトが下衣の腰周部分にある筒状部の中で過度に動き、筒状部への腰部保護ベルト挿入作業がかえって困難になるのを抑制することができる。上記の効果をより優れたものとできることから、この静摩擦係数は０．３以上であることが好ましく、０．４以上であることがより好ましい。また、上記の効果をより優れたものとできることから、この静摩擦係数は０．８以下であることがより好ましく、０．６以下であることがさらに好ましい。
【００９４】
また、第１の実施態様、第２の実施態様に共通して、本発明の下衣においては、筒状部前方部分の方向Iの１０％伸長時の応力が１０Ｎ／２５ｍｍ以下であることが好ましい。筒状部前方部分の方向Iの１０％伸長時の応力が１０Ｎ／２５ｍｍ以下であることで、筒状部の略中央部にあるスリットから腰部保護ベルトを挿入する際、筒状部の伸縮性によりスリットの開口が若干広がることで腰部保護ベルトが入れやすくなるのは上記の通りである。上記の効果が極めて顕著なものとなるとの理由から、筒状部前方部分の方向Ｉの１０％伸長時の応力は１Ｎ／２５ｍｍ以下であることがより好ましい。ここで、筒状部の方向Ｉとは着用者の身長方向に平行な方向をいう。また、筒状部前方部分の方向Ｉの１０％伸長時の下限については特に限定はされないが、伸びすぎると完全には元の長さには戻らず、布帛にひずみが残りやすく、しわや腰周りのごわごわ感を招くおそれがあり、このような回復率との観点から０．２Ｎ／２５ｍｍ以上であることがより好ましい。
【００９５】
なお、第１の実施態様、第２の実施態様に共通して、本発明の下衣においては、
筒状部前方部分の人体から遠い部分の面（すなわち、筒状部前方部分の着用者側の面の反対側の面）の静摩擦係数も、０．２〜１．０であることが好ましい。すなわち、筒状部へ腰部保護ベルトを挿入する際、筒状部前方部分の人体から遠い部分の面は腰部保護ベルトの着用者側の面（すなわち、腰部保護ベルトの面Ａ）と接することとなる。そのため、上記で示した理由と同様に、筒状部前方部分の人体から遠い部分の面の静摩擦係数についても、１．０以下であることで、筒状部へ腰部保護ベルトを挿入する際に引っかかることがなくスムーズに通すことができ、一方で、筒状部後方部分の内面の静摩擦係数が０．２以上であることで、腰部保護ベルトが下衣の腰周部分にある筒状部の中で過度に動き、筒状部への腰部保護ベルト挿入作業がかえって困難になるのを抑制することができる。上記の効果をより優れたものとできることから、この静摩擦係数は０．３以上であることが好ましく、０．４以上であることがさらに好ましい。また、上記の効果をより優れたものとできることから、この静摩擦係数は０．８以下であることがより好ましく、０．６以下であることがさらに好ましい。
【００９６】
また、第１の実施態様、第２の実施態様に共通して、本発明の下衣においては、筒状部前方部分の人体に近い部分の面、すなわち、筒状部前方部分の着用者側の面の静摩擦係数は０．２〜１．０であることが好ましい。特に本発明の下衣に腰部保護ベルトを装着した状態で下衣を着用すると、この面の着用者が着用する下着と、この筒状部前方部分とが強く接触するが、静摩擦係数が１．０以下であることで、下衣が下着の動きに追従していくことを抑制することができる。一方で、下着と下衣との位置関係があまりに抵抗なく動くと、違和感を感じることもあることから、この面の静摩擦係数は０．２以上が好ましい。これらの効果をより優れたものとできることから、この面の静摩擦係数は０．３以上であることがより好ましく、０．４以上であることがさらに好ましい。また、上記効果をより優れたものとできることから、この面の静摩擦係数は０．８以下であることがより好ましく、０．６以下であることがさらに好ましい。
【００９７】
第１の実施態様の下衣では、下衣身生地が、筒状部後方部分となっているものである。筒状部を構成する前方部分の面状物は上方部で連続または断続して下衣身生地と連結されていることが好ましい。この連結は筒状部の略上下方向における幅方向の上端またはその近くがよい。なお、面状物の上方部とは、面状物の上端と面状物の上端の下方に位置する部位とを含む部位を意味する。筒状部前方部分の面状物は下方部でも連続または断続して下衣身生地と連結されているのが望ましい。この連結は筒状部の幅方向の下端またはその近くがよい。なお、面状物の下方部とは、面状物の下端と面状物の下端の上方に位置する部位とを含む部位を意味する。筒状部の約半分に下衣身生地を使用することで、第２の実施態様の下衣に比べてコンパクトな筒状部を形成することができる。
【００９８】
一方で、第２の実施態様の下衣では、下衣身生地以外の面状物が使用される。筒状部の上方部で連続または断続して下衣身生地と連結されているのが好ましい。この連結は筒状部の略上下方向における幅方向の上端またはその近くがよい。なお、面状物の上方部とは、面状物の上端と面状物の上端の下方に位置する部位とを含む部位を意味する。さらに、面状物の下方部でも前記腰周方向に連続または断続して前記腰周部分の背面部分と連結されているのも望ましい。この連結は筒状部の幅方向の下端またはその近くがよい。なお、面状物の下方部とは、面状物の下端と面状物の下端の上方に位置する部位とを含む部位を意味する。このように筒状部を、筒状部の上部から吊り下げ、筒状部の下部を部分的に連結することで、腰部保護ベルトを下衣に挿入した時、後ろ姿のシルエットがすっきり見えるためである。
【００９９】
また、本発明の下衣着用の際は、筒状部に腰部保護ベルトを挿入し、腰部保護ベルトの右側端部と左側端部とを係止することで適度な腹圧を腰部（骨盤位）に感じるよう調整できる。ここで、本発明にかかる下衣の外観については特に制約がなく、この腰部保護ベルトの右側端部と左側端部との係止部は着用者の外部から見えていても隠れていてもよい。腰部保護ベルトの右側端部と左側端部との係止部が見える構造の下衣の外観としては図６や図１０に示したものが挙げられる。一方、腰部保護ベルトの右側端部と左側端部との係止部が隠れる構造の下衣の外観の例としては図１５に示した下衣が挙げられ、この下衣に腰部保護ベルトを装着した際の外観を図１６に示す。このように腰部保護ベルトを完全に下衣の内側で係止し、下衣の内側に完全に収める構造でもよい。また、腰部保護ベルトを部分的に隠す構造の下衣の例としては図１７に示した下衣が挙げられ、この下衣に腰部保護ベルトを装着した際の外観を図１８に示す。このように、下衣前面に設けた覆い布２８を、図１７の符号２９で示したボタン等により下衣前面と係止することにより、部分的に腰部保護ベルトを隠せる構造であってもよい。さらに、図１７に示した下衣においては、図１９に示したように腰部保護ベルトの右側端部と左側端部との係止部を隠さず前面に出した状態で装着することも可能な構造であり、使用場面や着用者の意向によって腰部保護ベルトを部分的に隠す、もしくは隠さずに前面に出すことを選択できる構造となっている。このように使用場面や着用者の意向によって腰部保護ベルト装着時の下衣の外観が選択できる構造であることで、１つのパターンで着用者の様々なニーズに対応することが可能となる。
【実施例】
【０１００】
以下、本発明をさらに実施例により詳細に説明する。【０１０１】
（測定方法）
（静摩擦係数）
布帛サンプルの静摩擦係数をＪＩＳ  Ｐ８１４７：１９９４  ３．２傾斜方法に準じて測定した。幅２５ｍｍ、長さ１３０ｍｍの試験片を３枚用意した。次に、これら３枚の試験片の内の１枚の試験片を、滑り傾斜角測定装置の８７２ｇの重りに取り付けた。一方、幅１２０ｍｍ×長さ２００ｍｍの被摩擦体を滑り傾斜角測定装置に取り付け、試験片を取り付けた重りを試験片の測定面が被摩擦体に接触するように、かつ、試験片の長さ方向と滑り傾斜角測定装置の滑り方向とが一致するように被摩擦体上に上載し、傾け角度３°／秒の条件で傾斜の程度を高くしていき、重りが落下したときの傾斜角を読み取り、前記傾斜角の正接（ｔａｎθ）を静摩擦係数とした。上記と同様の方法で他の２枚の試験片についても静摩擦係数を測定し、その３枚分の静摩擦係数の測定値の平均値を布帛サンプルの静摩擦係数とした。ここで、試験片の長さ方向が前記筒状部前方部分の方向Ｉと同じであるように、試験片をサンプリングすることとする。また、被摩擦体として使用するのは、標準綿（３−１号：一般財団法人日本規格協会製）とし、この標準綿の布帛の方向は経でも緯でも構わない。【０１０２】
（１０％伸長時の応力）
布帛サンプルの１０%伸長時の応力を島津製作所社製  オートグラフＡＧ−５０ｋＮＧを用いて測定した。具体的には、幅２５ｍｍ、長さ２２０ｍｍに裁断した試験片を５枚用意した。次に、５枚の試験片の内の１枚の試験片を、チャック間距離１００ｍｍにて上記の測定機器に取り付け、引っ張り速度３００ｍｍ／ｍｉｎで試験片が破断するまで引っ張った。同様のことを他の４枚の試験片に対しても行い、５枚の試験片、それぞれについて１０％伸長時の応力を測定した。ここでいう、「１０％伸長時の応力」とは、上記の方法で測定した５枚の布帛の伸度が１０％のときの伸長応力の平均値をいう。ここで、試験片の長さ方向が前記筒状部前方部分の方向Ｉと同じであるように、試験片をサンプリングすることとする。【０１０３】
（評価方法）
（腰部保護ベルト装着作業の所要時間）
被験者２０名が、実施例および比較例の下衣に腰部保護ベルトを装着するのに要した時間（秒）をストップウォッチを用いて測定した。被験者２０名には、それぞれ３回ずつ腰部保護ベルトの装着作業を実施してもらい、それぞれの所要時間（秒）の平均を算出し、被験者２０名分の平均を腰部保護ベルト装着作業の所要時間とした。【０１０４】
（実施例）
（実施例１）
経糸に１６７ｄｔｅｘのポリエチレンテレフタレート糸と、ポリエステル６５％・綿３５％（質量割合）の紡績糸とを用い、緯糸に１６７ｄｔｅｘのポリエチレンテレフタレート糸を用い、経糸密度１５４本／２．５４ｃｍ、緯糸密度６４本／２．５４ｃｍの経二重綾織に製織し、ポリエステル９０％、綿１０％の下衣身生地用の生地Ａを得た。【０１０５】
続いて、７８ｄｔｅｘのナイロン糸と３１０ｄｔｅｘのポリウレタン弾性繊維とを用いて編成し、ナイロン８２％、ポリウレタン１８％のパワーネット生地（以下、このパワーネット生地を生地Ｄと称する）を得た。【０１０６】
上記下衣身生地用の生地Ａを下衣身生地に用い、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、筒状部前方部分の中央部分には図１に示したようなスリットを１つのみ設け、筒状部の幅（Ｗ１）と、スリットの長手方向の幅（Ｗ２）との比（Ｗ２／Ｗ１）が０．８８となるように筒状部を作成した。また、スリットは、スリットの開口の縁が布帛で挟まれ縁取りされた上で縫製されているものである。そして、図４および図５で示される形態の腰部保護ベルトを作成し、その係止部には面ファスナー雄面として押出し成形タイプであるモールドマジック（登録商標）（クラレファスニング株式会社製）、雌面としてリングファスナー（株式会社セイホウ製）を用い、これを腰部保護ベルト１とした。上記筒状部に腰部保護ベルト１を図６に示すように下衣に装着するとともに、その際にかかった時間を測定した。筒状部を構成する布帛の物性および下衣の評価結果を表１に示す。【０１０７】
（実施例２）
実施例１に用いたものと同様の生地Ａを用いて下衣身生地を作成し、さらに、実施例１で用いたものと同様の生地Ｄを用いて筒状部を作成し、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．９４となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表１に示す。【０１０８】
（実施例３）
実施例１に用いたものと同様の生地Ａを用いて下衣身生地を作成し、さらに、実施例１で用いたものと同様の生地Ｄを用いて筒状部を作成し、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．７５となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表１に示す。【０１０９】
（実施例４）
実施例１に用いたものと同様の生地Ａを用いて下衣身生地を作成し、さらに、実施例１で用いたものと同様の生地Ｄを用いて筒状部を作成し、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．９６となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表１に示す。【０１１０】
（実施例５）
実施例１に用いたものと同様の生地Ａを用いて下衣身生地を作成し、さらに、実施例１で用いたものと同様の生地Ｄを用いて筒状部を作成し、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が１．００となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表１に示す。【０１１１】
（実施例６）
４４ｄｔｅｘのナイロン糸と４４ｄｔｅｘのポリウレタン弾性繊維とを用いてトリコットに編成し、ナイロン７０％、ポリウレタン３０％（質量割合）のトリコット生地（以下、このトリコット生地を生地Ｅと称する）を得た。実施例１の下衣に用いたものと同様の生地Ａと、生地Ｅとを用いて、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｅである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表２に示す。【０１１２】
（実施例７）
３．３ｄｔｅｘのＰＴＦＥ繊維を経緯に用いて１００％ＰＴＦＥ綾織物（目付け５２２ｇ／ｍ２）を作成し、これを下衣身生地用の生地Ｂとした。この生地Ｂを下衣身生地の腰周部分で背部にある下衣生地に用い、それ以外の下衣身生地の部分には実施例１で用いたものと同じ生地Ａを用いて、外観が図１および図２、内部が図３に示される形態の下衣を作成した。すなわち、図３の筒状部後方部分の布帛は、生地Ｂで構成される下衣身生地の腰周部分で背部にある下衣生地であり、筒状部前方部分の布帛（面状物）は、実施例１で用いたものと同じ生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表２に示す。【０１１３】
（実施例８）
８４ｄｔｅｘのＰＰＴ複合繊維と綿１００％紡績糸とを使用して２８ゲージでトリコットを編成し、トリコット生地（以下、このトリコット生地を生地Ｆと称する）を得た。実施例１の下衣に用いたものと同様の生地Ａと、生地Ｆとを用いて、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｆである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表２に示す。【０１１４】
（実施例９）
径１ｍｍのシリコンドット加工が１ｍｍ間隔で施された綿１００％ニット生地（シリコンドット加工された面の静摩擦係数０．９１）を生地Ｃとした。この生地Ｃを下衣身生地の腰周部分で背部にある下衣生地に用い、それ以外の下衣身生地の部分には実施例１で用いたものと同じ生地Ａを用いて、外観が図１および図２、内部が図３に示される形態の下衣を作成した。すなわち、図３の筒状部後方部分の布帛は、生地Ｃで構成される下衣身生地の腰周部分で背部にある下衣生地であり、筒状部前方部分の布帛（面状物）は、実施例１で用いたものと同じ生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表２に示す。【０１１５】
（実施例１０）
実施例１にて用いたものと同様の生地Ａを用いて下衣身生地を作成し、さらに、実施例１にて用いたものと同様の生地Ｄを用いて筒状部を作成し、外観が図８、図２、内部が図９に示される形態の下衣を作成した。筒状部は実施例１と同様の生地Ｄを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｄ、筒状部前方部分の布帛（面状物）も生地Ｄである。また、筒状部前方部分の中央部分には図８に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図１０のように下衣に装着するとともに、その際にかかった時間を測定した。筒状部を構成する布帛の物性および下衣の評価結果を表２に示す。【０１１６】
（実施例１１）
実施例１にて用いたものと同様の生地Ａを用いて下衣身生地を作成し、さらに、実施例６にて用いたものと同様の生地Ｅを用いて筒状部を作成し、外観が図８、図２、内部が図９に示される形態の下衣を作成した。筒状部は実施例１と同様の生地Ｅを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｅ、筒状部前方部分の布帛（面状物）も生地Ｅである。また、筒状部前方部分の中央部分には図８に示したようなスリットを設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図１０のように下衣に装着するとともに、その際にかかった時間を測定した。筒状部を構成する布帛の物性および下衣の評価結果を表２に示す。【０１１７】
（実施例１２）
実施例１にて用いたものと同様の生地Ａを用いて下衣身生地を作成し、さらに、実施例８にて用いたものと同様の生地Ｆを用いて筒状部を作成し、外観が図８、図２、内部が図９に示される形態の下衣を作成した。筒状部は実施例１と同様の生地Ｆを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｆ、筒状部前方部分の布帛（面状物）も生地Ｆである。また、筒状部前方部分の中央部分には図８に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図１０のように下衣に装着するとともに、その際にかかった時間を測定した。筒状部を構成する布帛の物性および下衣の評価結果を表３に示す。【０１１８】
（実施例１３）
３０ゲージのダブルトリコット編機を使用して、フロント筬に３３ｄｔｅｘのポリウレタン弾性糸を準備し、バック筬にナイロン原糸２２ｄｔｅｘ／７フィラメントを準備し、次の組織で両面編組織のポリウレタン弾性糸含有率５３％の経編地を編成した。
フロント筬：１−０／１−２／２−３／２−１／／
バック筬  ：２−３／１−１／１−０／２−２／／
このようにして、両面編組織の片面は弾性糸のみによるニットループを形成して経編地が構成され、もう一方の面は弾性糸と非弾性糸との併用によるニットループを形成して経編地が構成される表面の静摩擦係数が０．６０裏面が０．３９の、表裏で異なる静摩擦係数を持つトリコット生地（以下、このトリコット生地を生地Ｇと称する）を得た。【０１１９】
実施例１にて用いたものと同じ生地Ａを用いて下衣身生地を作成し、さらに、上記の生地Ｇを用いて筒状部を作成し、外観が図８、図２、内部が図９に示される形態の下衣を作成した。筒状部は生地Ｇを図９のように下方部で折り返して下衣身生地に、その上方部を腰周部分の背部の全周に渡って、その下方部を部分的に腰周部分の背部に縫製して留めたものであり、前記生地の特性により、筒状部後方部分の内面には生地Ｇの静摩擦係数が０．３９である面が配置され、筒状部前方部分の外面（人体に近い部分の面）には生地Ｇの静摩擦係数が０．６０である面が配置されている。また、筒状部前方部分の中央部分には図８に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図１０のように下衣に装着するとともに、その際にかかった時間を測定した。筒状部を構成する布帛の物性および下衣の評価結果を表３に示す。【０１２０】
（実施例１４）
実施例１にて用いたものと同様の生地Ａを用いて下衣身生地を作成し、さらに、実施例１３にて用いたものと同様の生地Ｇを用いて筒状部を作成し、外観が図８、図２、内部が図９に示される形態の下衣を作成した。ただし、生地Ｇの表裏を逆に配置し生地の特性により、筒状部後方部分の内面には生地Ｇの静摩擦係数が０．６０である面が配置され、筒状部前方部分の外面（人体に近い部分の面）には生地Ｇの静摩擦係数が０．３９である面が配置されている。また、筒状部前方部分の中央部分には図８に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図１０のように下衣に装着するとともに、その際にかかった時間を測定した。筒状部を構成する布帛の物性および下衣の評価結果を表３に示す。【０１２１】
（実施例１５）
実施例１にて用いたものと同様の生地Ａを用いて下衣身生地を作成し、さらに、実施例１にて用いたものと同様の生地Ｄを用いて筒状部を作成し、外観が図２０、図２、内部が図９に示される形態の下衣を作成した。筒状部は実施例１と同様の生地Ｄを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｄ、筒状部前方部分の布帛（面状物）も生地Ｄである。また、筒状部は図２０に示したように中央で１ｃｍの間隔を空けて２等分に分割されており、筒状部の幅（Ｗ１）と、筒状部分割部３０の長手方向の幅（Ｗ２）とが等しく、（Ｗ２／Ｗ１）が１．００である筒状部を作成した。上記筒状部に図４および図５で示される形態の腰部保護ベルト１を下衣に装着するとともに、その際にかかった時間を測定した。筒状部を構成する布帛の物性および下衣の評価結果を表３に示す。【０１２２】
（実施例１６）
実施例１に用いたものと同様の生地Ａを用いて下衣身生地を作成し、さらに、実施例１で用いたものと同様の生地Ａを用いて筒状部を作成し、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）も、生地Ａである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表３に示す。【０１２３】
（実施例１７）
長さ１４ｃｍ、幅２５ｍｍの布テープであり、その長手方向の一方の端部から他方の端部に連続して配置された２つの高摩擦体を有する滑り止めテープ（Ａｎｄｏ  Ｔａｐｅ製  ８００Ａ  弾性糸の露出が多い面の静摩擦係数１．０７）を３枚用意した。これらの滑り止めテープを実施例１にて用いたものと同様に生地Ａを用いた下衣身生地の腰周部分の背部に、この腰周部分の背部の中央部と中央部から左右８ｃｍの部位の合計３箇所に縫着した。滑り止めテープの長手方向は方向Ｉと略平行とした。この下衣身生地と、実施例１で用いたものと同様の生地Ｄを用いて、外観が図１、図２、内部が図３に示されるような形態の下衣を作成した。図３の筒状部後方部分の布帛は３枚の滑り止めテープが縫着された生地Ａ、筒状部前方部分の布帛（面状物）は実施例１と同様の生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．８８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表３に示す。【０１２４】
（比較例１）
実施例１にて用いたものと同様の生地Ａを用いて下衣身生地を作成し、さらに、実施例１にて用いたものと同様の生地Ｄを用いて筒状部を作成し、外観が図２２、図２、内部が図９に示される形態の下衣を作成した。筒状部は実施例１と同様の生地Ｄを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｄ、筒状部前方部分の布帛（面状物）も生地Ｄである。また、筒状部前方部分にはスリットを１つも設けなかった。上記筒状部に図４および図５で示される形態の腰部保護ベルト１を下衣に装着するとともに、その際にかかった時間を測定した。筒状部を構成する布帛の物性および下衣の評価結果を表４に示す。【０１２５】
腰部保護ベルト挿入作業の所要時間は２５秒となり、腰部保護ベルトの下衣への装着に時間を要した。前述したように、図２２のような構造の下衣では、筒状部の一方の開口から他方の開口まで腰部保護ベルトを挿通させる必要があり、ベルトの挿通距離が長い分、装着作業に手間取ったことが要因であると考える。【０１２６】
（比較例２）
実施例１にて用いたものと同様の生地Ａを用いて下衣身生地を作成し、さらに、実施例１にて用いたものと同様の生地Ｄを用いて筒状部を作成し、外観が図２１、図２、内部が図９に示される形態の下衣を作成した。筒状部は実施例１と同様の生地Ｄを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｄ、筒状部前方部分の布帛（面状物）も生地Ｄである。また、筒状部には図２１に示したようにスリットが２つ備えられている。すなわち、筒状部のスリットが筒状部の後方部分にも続いており、スリットの一形態となる筒状部分３０を２つ有している。筒状部の幅（Ｗ１）と、筒状部分割部３０の長手方向の幅（Ｗ２）とが等しく、（Ｗ２／Ｗ１）が１．００である筒状部を作成した。上記筒状部に図４および図５で示される形態の腰部保護ベルト１を下衣に装着するとともに、その際にかかった時間を測定した。筒状部を構成する布帛の物性および下衣の評価結果を表４に示す。【０１２７】
腰部保護ベルト挿入作業の所要時間は２４秒となり、腰部保護ベルトの下衣への装着に時間を要した。図２１のような構造の下衣では、筒状部のスリットが筒状部の後方部分にも続いており、さらにスリットの一形態となる筒状部分割部分３０を２つ有しているこれにより、筒状部開口Ｃ、筒状部開口Ｄ、筒状部開口Ｅ、および筒状部開口Ｆと４つの開口にベルトを挿通させる必要があり、手間が増える。さらに、それぞれの筒状部開口は自由に動くため、一つの筒状部開口に腰部サポートベルトを通しても、その他の筒状部開口にベルトを挿入する際に開口部を手で広げるなどの手間が生じたことが要因であると考える。【０１２８】
（比較例３）
実施例１にて用いたものと同様の生地Ａを用いて下衣身生地を作成し、さらに、実施例１にて用いたものと同様の生地Ｄを用いて筒状部を作成し、外観が図８、図２、内部が図９に示される形態の下衣を作成した。筒状部は実施例１と同様の生地Ｄを図９のように下方部で折り返して下衣身生地に、その上方部を腰周部分の背部の全周に渡って、その下方部を部分的に腰周部分の背部に縫製して留めたものであり、図９の筒状部後方部分の布帛は生地Ｄ、筒状部前方部分の布帛（面状物）も生地Ｄである。また、筒状部前方部分の中央部分には図８に示したようなスリットを１つ設け、筒状部の幅（Ｗ１）と、スリットの長手方向の幅（Ｗ２）との比（Ｗ２／Ｗ１）が０．６８となるように筒状部を作成した。上記筒状部に図４および図５で示される形態の腰部保護ベルト１を図１０のように下衣に装着するとともに、その際にかかった時間を測定した。筒状部を構成する布帛の物性および下衣の評価結果を表４に示す。【０１２９】
腰部保護ベルト挿入作業の所要時間は２１秒となり、腰部保護ベルトの下衣への装着に時間を要した。筒状部の幅（Ｗ１）と、スリットの長手方向の幅（Ｗ２）との比（Ｗ２／Ｗ１）が０．６８である構造の下衣では、腰部保護ベルトの背幅に対して筒状部の幅（Ｗ１）が十分でなく、ベルトを挿入する際に開口部を手で広げて補助するなどの手間が生じたことが要因であると考える。【０１３０】
（比較例４）
実施例１に用いたものと同様の生地Ａを用いて下衣身生地を作成し、さらに、実施例１で用いたものと同様の生地Ｄを用いて筒状部を作成し、外観が図１および図２、内部が図３に示される形態の下衣を作成した。すなわち、図３の筒状部後方部分の布帛は、生地Ａで構成される下衣身生地の腰周部分で背部にある下衣生地であり、筒状部前方部分の布帛（面状物）は、生地Ｄである。また、筒状部前方部分の中央部分には図１に示したようなスリットを１つ設け、筒状部の幅（Ｗ１）と、スリットの長手方向の幅（Ｗ２）との比（Ｗ２／Ｗ１）が０．６８となるように筒状部を作成した。上記筒状部に図４および図５で示される形態の腰部保護ベルト１を図６のように下衣に装着するとともに、その際にかかった時間を測定した。筒状部を構成する布帛の物性および下衣の評価結果を表４に示す。【０１３１】
腰部保護ベルト挿入作業の所要時間は２１秒となり、腰部保護ベルトの下衣への装着に時間を要した。筒状部の幅（Ｗ１）と、スリットの長手方向の幅（Ｗ２）との比（Ｗ２／Ｗ１）が０．６８である構造の下衣では、腰部保護ベルトの背幅に対して筒状部の幅（Ｗ１）が十分でなく、ベルトを挿入する際に開口部を手で広げて補助するなどの手間が生じたことが要因であると考えられる。【０１３２】
【表１】
2020066740.tif 000003
【０１３３】
【表２】
2020066740.tif 000004
【０１３４】
【表３】
2020066740.tif 000005
【０１３５】
【表４】
2020066740.tif 000006
【符号の説明】
【０１３６】
１：下衣
２：腰周部
３：筒状部
４：腰周方向
５：腰周部分で背部にある下衣生地
６：筒状部前方部分
７：係止部
８：係止部
９：腰部保護ベルト
１０：腰部保護部
１１：ベルト部
１２：第一の固定部
１３：第二の固定部
１４：ボーン
１５：筒状部前方部分
１５’：筒状部後方部分
１６：係止部
１７：係止部
１８：背面部分
１９：前方
２０：後方
２１：腰部保護ベルト配置用空間
２２：筒状部後方部分の内面
２３：筒状部前方部分の外面
２４：下衣身生地
２５：スリット
２６：スリット
２７：筒状部前方部分の人体から遠い部分の面
２８：下衣前面の覆い布
２９：ボタン
３０：筒状部分割部
３１：筒状部開口Ａ
３２：筒状部開口Ｂ
３３：筒状部開口Ｃ
３４：筒状部開口Ｄ
３５：筒状部開口Ｅ
３６：筒状部開口Ｆ
Ｉ：筒状部の幅方向
【図１】
2020066740.tif 000007
【図２】
2020066740.tif 000008
【図３】
2020066740.tif 000009
【図４】
2020066740.tif 000010
【図５】
2020066740.tif 000011
【図６】
2020066740.tif 000012
【図７】
2020066740.tif 000013
【図８】
2020066740.tif 000014
【図９】
2020066740.tif 000015
【図１０】
2020066740.tif 000016
【図１１】
2020066740.tif 000017
【図１２】
2020066740.tif 000018
【図１３】
2020066740.tif 000019
【図１４】
2020066740.tif 000020
【図１５】
2020066740.tif 000021
【図１６】
2020066740.tif 000022
【図１７】
2020066740.tif 000023
【図１８】
2020066740.tif 000024
【図１９】
2020066740.tif 000025
【図２０】
2020066740.tif 000026
【図２１】
2020066740.tif 000027
【図２２】
2020066740.tif 000028
【図２３】
2020066740.tif 000029
【図２４】
2020066740.tif 000030
【図２５】
2020066740.tif 000031
【国際調査報告】
2020066740.tif 000032
2020066740.tif 000033